(57)【特許請求の範囲】
【請求項１】
内部に給水流路が設けられて、前記給水流路の上流側となる基端部側が取り付け対象物に着脱可能な吐水口本体と、
該吐水口本体の前記給水流路の下流側となる先端部側に着脱可能な吐水口部材と、を有する吐水装置において、
前記吐水口部材は、前記吐水口本体の内部において前記吐水口本体に係止される被係止部を有し、
前記吐水口本体の内部には、前記被係止部を係止する係止部が設けられていて、
該係止部に係止された前記被係止部は、前記吐水口本体の基端部側からの操作によって前記係止部からの係止状態を解除可能に構成されていることを特徴とする吐水装置。
【請求項２】
前記吐水口本体の内面には、基端部側から前記係止部に達する溝部が形成されている請求項１に記載の吐水装置。
【請求項３】
前記吐水口部材は、吐水口を収容する吐水口ケースと、前記吐水口本体の内部を隠す化粧カバーと、を有し、
前記吐水口ケースおよび前記化粧カバーは、それぞれ前記被係止部を有し、
前記吐水口ケースの前記被係止部および前記化粧カバーの前記被係止部は、それぞれ前記吐水口本体に形成された前記係止部に係止される請求項１又は２に記載の吐水装置。
【請求項４】
前記吐水口部材は、吐水口を収容する吐水口ケースと、前記吐水口本体の内部を隠す化粧カバーと、を有し、
前記吐水口ケースおよび前記化粧カバーは、それぞれ前記被係止部を有し、
前記吐水口ケースの前記被係止部は、前記吐水口本体に形成された前記係止部に係止され、
前記化粧カバーの前記被係止部は、前記吐水口ケースに形成された前記係止部に係止される請求項１又は２に記載の吐水装置。
【請求項５】
前記吐水口本体は、直管状に形成されている請求項１乃至４のいずれか一項に記載の吐水装置。
【請求項６】
前記取り付け対象物に固定されて、前記吐水口本体を着脱可能な取付部材を有する請求項１乃至５のいずれか一項に記載の吐水装置。
【発明の詳細な説明】
【技術分野】
【０００１】
本発明は、吐水装置に関する。
【背景技術】
【０００２】
従来、洗面台などに使用される自動水栓が知られている（例えば、特許文献１参照）。このような自動水栓には、内部にセンサや吐水口ケースが収容される筒状の吐水口本体の先端部近傍に化粧カバーが取り付けられた吐水装置が用いられている。化粧カバーや吐水口ケースなどの吐水口部材は、センサのメンテナンス時などに吐水口本体から外せるように、スナップフィットやネジなどを用いて吐水口本体に着脱可能に構成されている。
【先行技術文献】
【特許文献】
【０００３】
【特許文献１】特開２０１５−１１３６０１号公報
【発明の概要】
【発明が解決しようとする課題】
【０００４】
しかしながら、吐水口部材がスナップフィットやネジを用いて吐水口本体に着脱される場合、吐水口部材の露出面にスナップフィットを操作するための工具掛けを設けたり、吐水口部材にネジ孔を形成したりする必要がある。このため、吐水装置の意匠性が損なわれるとともに、工具掛けやネジ孔に汚れが溜まりやすく清掃しにくいという問題がある。
【０００５】
そこで、本発明は、吐水口部材を吐水口本体から容易に外すことができて、意匠性を向上させることができるとともに容易に清掃することができる吐水装置を提供することを目的とする。
【課題を解決するための手段】
【０００６】
上記目的を達成するため、本発明に係る吐水装置は、内部に給水流路が設けられて、前記給水流路の上流側となる基端部側が取り付け対象物に着脱可能な吐水口本体と、該吐水口本体の前記給水流路の下流側となる先端部側に着脱可能な吐水口部材と、を有する吐水装置において、前記吐水口部材は、前記吐水口本体の内部において前記吐水口本体に係止される被係止部を有し、前記吐水口本体の内部には、前記被係止部を係止する係止部が設けられていて、該係止部に係止された前記被係止部は、前記吐水口本体の基端部側からの操作によって前記係止部からの係止状態を解除可能に構成されていることを特徴とする。
【０００７】
本発明では、吐水口本体の内部に吐水口部材の被係止部を係止する係止部が設けられているとともに、吐水口本体の基端部側からの操作によって係止部に係止された被係止部が係止部から外れるように構成されている。このため、吐水装置は、被係止部および係止部が吐水口本体および吐水口部材の外側に露出しないとともに、被係止部を係止部から外すための工具掛けが吐水口本体および吐水口部材の外側に露出しない構造となる。これにより、吐水装置の意匠性を向上させることができるとともに、被係止部や係止部、工具掛けに汚れが溜まることが防止されるため、吐水口部材や吐水口本体を容易に清掃することができる。
【０００８】
また、本発明に係る吐水装置では、前記吐水口本体の内面には、基端部側から前記係止部に達する溝部が形成されていることが好ましい。
このような構成とすることにより、工具を吐水口本体の溝部に沿わせて先端部側に移動させることにより、工具を係止部の位置に容易に届かせることができる。このため、吐水口本体の内部が暗く見えにくい場合でも、容易に工具で係止部を操作することができる。
【０００９】
また、本発明に係る吐水装置では、前記吐水口部材は、吐水口を収容する吐水口ケースと、前記吐水口本体の内部を隠す化粧カバーと、を有し、前記吐水口ケースおよび前記化粧カバーは、それぞれ前記被係止部を有し、前記吐水口ケースの前記被係止部および前記化粧カバーの前記被係止部は、それぞれ前記吐水口本体に形成された前記係止部に係止される構成としてもよい。
このような構成とすることにより、化粧カバーおよび吐水口ケースが吐水口本体に直接係止されるため、化粧カバーおよび吐水口ケースを吐水口本体に確実に取り付けることができる。
【００１０】
また、本発明に係る吐水装置では、前記吐水口部材は、吐水口を収容する吐水口ケースと、前記吐水口本体の内部を隠す化粧カバーと、を有し、前記吐水口ケースおよび前記化粧カバーは、それぞれ前記被係止部を有し、前記吐水口ケースの前記被係止部は、前記吐水口本体に形成された前記係止部に係止され、前記化粧カバーの前記被係止部は、前記吐水口ケースに形成された前記係止部に係止される構成としてもよい。
このような構成とすることにより、化粧カバーが吐水口ケースを介して吐水口本体に取り付けられる。吐水口ケースに化粧カバーが直接取り付けられることにより、吐水口ケースと化粧カバーとの位置ずれを抑制することができる。
【００１１】
また、本発明に係る吐水装置では、前記吐水口本体は、直管状に形成されていることが好ましい。
このような構成とすることにより、吐水口本体の内部に工具を挿入しやすいとともに、吐水口本体の内部を外部から視認しやすいため、吐水口部材を吐水口本体から容易に取り外すことができるとともに、誤って吐水口本体の内部を吐水口本体の内部に挿入した工具などで傷つけることを防止できる。
【００１２】
また、本発明に係る吐水装置では、前記取り付け対象物に固定されて、前記吐水口本体を着脱可能な取付部材を有することが好ましい。
このような構成とすることにより、吐水口本体を取り付け対象物から容易に取り外すことができ、吐水口本体から吐水口部材を外す作業を簡便化することができる。
【発明の効果】
【００１３】
本発明によれば、吐水口部材を吐水口本体から容易に外すことができて、意匠性を向上させることができるとともに容易に清掃することができる。
【図面の簡単な説明】
【００１４】
【図１】本発明の第１実施形態による吐水装置が設けられた洗面台の一例を示す図である。
【図２】本発明の第１実施形態による吐水装置の斜視図である。
【図３】図２のＡ−Ａ線断面図である。
【図４】本発明の第１実施形態による吐水装置の側面図である。
【図５】本発明の第１実施形態による吐水装置の正面図である。
【図６】図４のＢ−Ｂ線断面図である。
【図７】図６のＣ―Ｃ線断面に対応する吐水口本体のみを示す断面図である。
【図８】図７のＤ―Ｄ線断面図である。
【図９】本発明の第１実施形態における化粧カバーが外れた状態の吐水装置の正面図である。
【図１０】本発明の第１実施形態における吐水口ケースおよびセンサを説明する分解斜視図である。
【図１１】本発明の第１実施形態における化粧カバーおよびセンサが外れた状態の吐水装置の正面図である。
【図１２】図２のＥ−Ｅ線断面図である。
【図１３】本発明の第１実施形態における化粧カバーを後側から見た斜視図である。
【図１４】本発明の第１実施形態における化粧カバーが吐水口本体に係止される様子を説明する図である。
【図１５】本発明の第１実施形態における化粧カバーが吐水口本体に係止される様子を説明する他の図である。
【図１６】本発明の第１実施形態における化粧カバーおよび吐水口ケースが吐水口本体に係止される様子を説明する図である。
【図１７】本発明の第２実施形態による吐水装置の分解斜視図である。
【図１８】本発明の第２実施形態における化粧カバーおよび吐水口ケースが吐水口本体に係止される様子を説明する図である。
【発明を実施するための形態】
【００１５】
（第１実施形態）
以下、本発明の第１実施形態による吐水装置について、図１乃至図１６に基づいて説明する。
図１に示すように、第１実施形態による吐水装置１Ａは、洗面台１１の自動水栓１２に用いられている。
図２および図３に示すように、吐水装置１Ａは、円筒状の吐水口本体２Ａと、吐水口本体２Ａの内部に配置され吐水口を収容する吐水口ケース３Ａと、吐水口ケース３Ａと給水管（不図示）とを接続する給水ホース４と、吐水口本体２Ａの内部に配置された使用者が吐水装置１Ａに近づいたかどうかを検知可能なセンサ５と、吐水口本体２Ａの吐水側の端部（先端部）近傍に着脱される化粧カバー６Ａと、洗面台１１の壁部（取り付け対象物）１３（図３参照、図２では省略）に固定されて吐水口本体２Ａを着脱可能な取付部材７と、を有している。本実施形態では、吐水口ケース３Ａおよび化粧カバー６Ａが本発明の吐水口部材を構成し、吐水口ケース３Ａおよび給水ホース４が本発明の給水流路を構成している。
【００１６】
洗面台１１の壁部１３は、洗面台１１を使用する使用者（不図示）と対向するように配置されている。壁部１３と使用者とが対向する方向を前後方向として、壁部１３に対する使用者側を前側とし、使用者に対する壁部１３側を後側とする。また、前後方向に直交する水平方向を幅方向とする。以下の各部材の説明では、吐水装置１Ａが壁部１３に取り付けられている状態における向きであるものとする。
【００１７】
図２乃至図４に示すように、吐水口本体２Ａは、軸線が略直線となる直管状に形成されていて、軸方向が前後方向となる向きで取付部材７（図２および図３参照）を介して壁部１３（図３および図４参照）に固定されている。吐水口本体２Ａは、軸方向の一方側となる前端部（先端部）２ａ側から吐水され、軸方向の他方側となる後端部（基端部）２ｂ側が取付部材７に着脱可能に構成されている。
吐水口本体２Ａは、前端部２ａ側が軸線に対して斜めとなる面に沿った形状に形成され、後端部２ｂ側が軸線に対して直交する面に沿った形状に形成されている。吐水口本体２Ａは、前端部２ａ側が上側から下側に向かって漸次壁部１３に向かうように傾斜した姿勢で取付部材７に取り付けられている。
【００１８】
図３に示すように、吐水口本体２Ａの内部には、前端部２ａ近傍に吐水口ケース３Ａおよびセンサ５が収容され、その後方に吐水口ケース３Ａに接続された給水ホース４が収容されている。図３および図５に示すように、吐水口本体２Ａの前端部２ａは、化粧カバー６Ａが着脱可能に構成されている。
図３に戻り、吐水口本体２Ａの内部のうち、吐水口ケース３Ａが配置される領域を吐水口ケース収容部２１とし、センサ５が収容される領域をセンサ収容部２２とする。吐水口ケース収容部２１およびセンサ収容部２２は、吐水口本体２Ａの前端部２ａ近傍に配置され、センサ収容部２２が吐水口ケース収容部２１の上側に配置されている。
【００１９】
図３、図６乃至図８に示すように、吐水口本体２Ａには、内周面の前側かつ上側の部分から鉛直方向下側に突出する一対の第１突出板部（係止部）２３，２３および一対の第２突出板部２４，２４（図３、図７および図８参照）が形成されている。
一対の第１突出板部２３，２３は、それぞれの板面が略同一の略長方形となる平板状に形成されている。一対の第１突出板部２３，２３は、吐水口本体２Ａの内部において、板面が幅方向を向く姿勢で、互いに幅方向に間隔をあけて配置されている。一対の第１突出板部２３，２３の下端部は、吐水口本体２Ａの内周面と離間している。一対の第１突出板部２３，２３の前端部は、吐水口本体２Ａの前端部２ａよりも後側に配置されている。
【００２０】
一対の第２突出板部２４，２４は、それぞれ板面が略同一の略三角形となる平板状に形成されている。一対の第２突出板部２４，２４は、一対の第１突出板部２３，２３の間に、板面が幅方向を向く姿勢で、互いに幅方向に間隔をあけて配置されている。一対の第２突出板部２４，２４の下端部は、一対の第１突出板部２３，２３の下端部よりも上側に配置されている。一対の第２突出板部２４，２４の下側の端面は、前側から後側に向かって漸次上側に向かうように傾斜している。
【００２１】
一対の第２突出板部２４，２４の前端部は、一対の第１突出板部２３，２３の前端部と前後方向の位置が略同じで、一対の第２突出板部２４，２４の後端部は、一対の第１突出板部２３，２３の後端部よりも前側に配置されている。
一対の第１突出板部２３，２３の間の領域のうちの上部側かつ一対の第２突出板部２４，２４の下側にセンサ収容部２２が形成され、一対の第１突出板部２３，２３の間の領域のうちの下部側、および一対の第１突出板部２３，２３よりも下側の領域に吐水口ケース収容部２１が形成されている。
【００２２】
図７および図８に示すように、吐水口本体２Ａの内面には、前後方向に延びる一対の溝部２５Ａ，２５Ａが形成されている。一対の溝部２５Ａ，２５Ａは、幅方向に対向し、それぞれ吐水口本体２Ａの高さ方向の中間部に形成されている。一対の溝部２５Ａ，２５Ａは、幅方向の外側に向かって凹んでいて、それぞれ吐水口本体２Ａの前端部２ａよりもやや後側から吐水口本体２Ａの後端部２ｂにわたって形成されている。本実施形態では、一対の溝部２５Ａ，２５Ａは、前端部の前後方向の位置が一対の第１突出板部２３，２３の前端部の前後方向の位置と略同じ位置となるように配置されている。
【００２３】
この溝部２５Ａ，２５Ａには、それぞれ前端部近傍に化粧カバー６Ａの第１被係止部６２Ａ，６２Ａの第１爪部６２２Ａ，６２２Ａ（図１２参照）が入り込むことが可能となっている。第１被係止部６２Ａ，６２Ａの第１爪部６２２Ａ，６２２Ａが入り込む溝部２５Ａ，２５Ａの前端部近傍の部分を第１係止部２５１Ａ，２５１Ａ（図７参照）とする。
【００２４】
吐水口本体２Ａの内面には、一対の溝部２５Ａ，２５Ａそれぞれの上側から径方向内側に突出する一対の第１凸部２６，２６と、下部側から径方向内側（上側）に突出する第２凸部２７と、が形成されている。一対の第１凸部２６，２６および第２凸部２７は、それぞれ吐水口本体２Ａの前端部２ａよりもやや後側から吐水口本体２Ａの後端部２ｂよりやや前側にわたって形成されている。本実施形態では、一対の第１凸部２６，２６および第２凸部２７は、前端部の前後方向の位置が一対の第１突出板部２３，２３の前端部と略同じ位置となるように配置されている。
第２凸部２７の後端部近傍には、吐水口本体２Ａを取付部材７に固定するためのネジ７３が挿通されるネジ孔２８が形成されている。ネジ孔２８は、第２凸部２７を上下方向に貫通し、内周面にネジ山が形成されている。
【００２５】
吐水口本体２Ａの内面には、前端部２ａ近傍かつ上側の部分の幅方向の略中央部に、上側に凹む凹部２９が形成されている。凹部２９は、一対の第１突出板部２３，２３の前端部よりも前側に形成されている。この凹部２９には、図３に示すように、化粧カバー６Ａの第２被係止部６３の第２爪部６３２が入り込むことが可能となっている。
【００２６】
図３および図９乃至図１６に示すように、吐水口ケース３Ａは、吐水口を収容するケース本体３２Ａと、ケース本体３２Ａから後側に突出し給水ホース４と接続される接続管部３３（図３、図１０および図１２参照）と、ケース本体３２Ａから後側に突出し、吐水口本体２Ａに係止される一対の第３被係止部３４Ａ，３４Ａ（図１０および図１２参照）と、を有している。吐水口ケース３Ａは、前端部が吐水口本体２Ａの前端部２ａ近傍に配置されるように吐水口ケース収容部２１に収容される。
【００２７】
ケース本体３２Ａには、幅方向の両端部それぞれに切欠き部３２１，３２１が形成されている。この切欠き部３２１，３２１には、吐水口本体２Ａの第１突出板部２３，２３の前側かつ下側の部分が嵌合可能に構成されている。
ケース本体３２Ａの上面は、前側部分が前側から後側に向かって漸次上側に向かう傾斜面３２２に形成され、後側部分が平坦面３２３に形成されている。ケース本体３２Ａの上面の傾斜面３２２の上方がセンサ収容部２２となり、この傾斜面３２２に沿ってセンサ５が配置される。ケース本体３２Ａの上面の傾斜面３２２と平坦面３２３との接続部は、平坦面が傾斜面よりも上側となるように段部３２４形成されていて、この段部３２４によってセンサ５がセンサ収容部２２よりも後方に入り込むことが防止されている。
【００２８】
一対の第３被係止部３４Ａ，３４Ａは、それぞれケース本体３２Ａから後側に突出する第３突出片３４１Ａ，３４１Ａと、第３突出片３４１Ａ，３４１Ａの後端部近傍からそれぞれ幅方向の外側に突出する第３爪部３４２Ａ，３４２Ａと、を有している。一対の第３被係止部３４Ａ，３４Ａは、それぞれ弾性変形可能に形成されている。本実施形態では、一対の第３被係止部３４Ａ，３４Ａは、ケース本体３２Ａと一体に形成されている。
一対の第３突出片３４１Ａ，３４１Ａは、それぞれ板面が幅方向を向く平板状に形成されている。本実施形態では、一対の第３突出片３４１Ａ，３４１Ａの幅方向の外側を向く面は、ケース本体３２Ａの幅方向の外側を向く切欠き部３２１，３２１の切欠き面３２１ａと段差なく連続している。
【００２９】
一対の第３被係止部３４Ａ，３４Ａは、互いに近づくように弾性変形した状態で一対の第１突出板部２３，２３の間に前側から挿入され、それぞれの第３爪部３４２Ａ，３４２Ａがそれぞれ第１突出板部２３，２３の後方に達すると、第３爪部３４２Ａ，３４２Ａが互いに離間する側に移動し、第１突出板部２３，２３の後端部に引っ掛かった状態となる。
第３被係止部３４Ａおよび第１突出板部２３は、第３爪部３４２Ａが第１突出板部２３に引っ掛かることで第１突出板部２３に係止されるスナップフィットを構成している。
【００３０】
図３および図１０に示すように、センサ５は、略直方体状に形成されていて、前端部が吐水口本体２Ａ（図３参照）の前端部近傍に配置されるようにセンサ収容部２２（図３参照）に収容される。センサ５は、吐水口ケース３Ａと化粧カバー６Ａ（図３参照）との間に挟まれるように配置されている。
【００３１】
図３、図１２乃至図１６に示すように、化粧カバー６Ａは、吐水口本体２Ａの前端部２ａの開口を覆う板状のカバー本体６１と、カバー本体６１の後側の面（吐水口本体２Ａ側の面）から突出し吐水口本体２Ａの溝部２５Ａ，２５Ａの第１係止部２５１Ａ，２５１Ａに係止される一対の第１被係止部６２Ａ，６２Ａと、カバー本体６１の後側の面から突出し吐水口本体２Ａの凹部２９に係止される第２被係止部６３と、カバー本体６１の後側の面から突出する一対の突出板部６４，６４と、を有している。
【００３２】
カバー本体６１は、板面の外形が吐水口本体２Ａの前端部２ａの開口の形状に対応する略長円状に形成されている。カバー本体６１は、吐水口本体２Ａに係止されると、吐水口本体２Ａの前端部２ａに沿って上側から下側に向かって漸次後側に向かうように傾斜している。
カバー本体６１は、上部側よりも下部側の方が厚く形成されていて、下部側に板面を貫通し吐水口ケース３Ａの前端部が挿入される吐水用開口部６１１が形成され、上部側に板面を貫通しセンサ５の前端部が挿入されるセンサ用開口部６１２が形成されている。
【００３３】
一対の第１被係止部６２Ａ，６２Ａは、それぞれカバー本体６１の高さ方向の中間部における幅方向の両端部近傍から後方に突出している。
一対の第１被係止部６２Ａ，６２Ａは、それぞれカバー本体６１から後方に突出する第１突出片６２１Ａと、第１突出片６２１Ａの後端部近傍から幅方向の外側に突出する第１爪部６２２Ａと、を有している。一対の第１被係止部６２Ａ，６２Ａは、それぞれ弾性変形可能で、カバー本体６１と一体に形成されている。
第１突出片６２１Ａ，６２１Ａは、板面が幅方向を向く平板状に形成されている。
【００３４】
一対の第１被係止部６２Ａ，６２Ａは、互いに近づくように弾性変形した状態で吐水口本体２Ａの内部に前端部２ａ側から挿入され、第１爪部６２２Ａ，６２２Ａがそれぞれ吐水口本体２Ａの溝部２５Ａ，２５Ａの第１係止部２５１Ａ，２５１Ａに達すると、第１爪部６２２Ａ，６２２Ａが互いに離間する側に移動し、第１係止部２５１Ａ，２５１Ａに引っ掛かった状態となる。
第１被係止部６２Ａ，６２Ａおよび吐水口本体２Ａの第１係止部２５１Ａ，２５１Ａは、第１爪部６２２Ａ，６２２Ａが第１係止部２５１Ａ，２５１Ａに引っ掛かることで第１係止部２５１Ａ，２５１Ａに係止されるスナップフィットを構成している。
【００３５】
第１被係止部６２Ａ，６２Ａが第１係止部２５１Ａ，２５１Ａに引っ掛かった状態では、第１爪部６２２Ａの後端部と第１係止部２５１Ａ，２５１Ａの底部との間には隙間が形成されている。この隙間には、吐水口本体２Ａに後側から挿し込まれたマイナスドライバーの先端部などを挿入可能となっている。この隙間に吐水口本体２Ａに後側から挿し込まれたマイナスドライバーの先端などを挿入して第１爪部６２２Ａ，６２２Ａを内側に押すことで、第１被係止部６２Ａ，６２Ａそれぞれを吐水口本体２Ａの第１係止部２５１Ａ，２５１Ａから外すことが可能となる。
【００３６】
第２被係止部６３は、カバー本体６１の後面の上端部近傍から後方に突出している。
第２被係止部６３は、カバー本体６１から後方に突出する第２突出片６３１と、第２突出片６３１の後端部近傍から上側に突出する第２爪部６３２と、を有している。第２被係止部６３は、弾性変形可能に形成されている。
本実施形態では、第２被係止部６３は、カバー本体６１と一体に形成されている。
【００３７】
第２被係止部６３は、吐水口本体２Ａの内部に挿入され、吐水口本体２Ａの凹部２９に第２爪部６３２が入り込んで引っ掛かるように構成されている。
第２被係止部６３および吐水口本体２Ａの凹部２９は、第２爪部６３２が凹部２９に引っ掛かることで凹部２９に係止されるスナップフィットを構成している。
【００３８】
一対の突出板部６４，６４は、それぞれ板面が幅方向を向く平板状に形成されていて、幅方向に互いに間隔をあけた配置されている。一対の突出板部６４，６４は、化粧カバー６Ａが吐水口本体２Ａに取り付けられると、吐水口本体２Ａの一対の第１突出板部２３，２３と前後方向に対向するように配置され、一対の突出板部６４，６４の間にセンサ収容部２２が形成される。
【００３９】
図３、図１０および図１２に示すように、取付部材７は、壁部１３を前後方向に貫通する貫通孔１３ａ（図３および図１２参照）に挿入された第１金具７１と、壁部１３の前側において第１金具７１と連結される第２金具７２と、吐水口本体２Ａを第２金具７２に係止するためのネジ７３（図３および図１０参照）と、を有している。
第１金具７１は、貫通孔１３ａに挿通される円筒状の円筒部７１１と、円筒部７１１の軸方向の一方の端部から径方向外側に突出する円環状のフランジ７１２と、を有している。
第１金具７１は、軸方向が前後方向となる向きで円筒部７１１が壁部１３の後側から貫通孔１３ａに挿通され、フランジ７１２が壁部１３の後側に配置される。フランジ７１２と壁部１３の後面との間には、パッキン７４が設けられている。円筒部７１１の外周面には、少なくとも壁部１３の前側に配置される前端部近傍にネジ山が形成されている。
【００４０】
第２金具７２は、外径が貫通孔１３ａの外径よりも大きい円筒状に形成されていて、内周面にはネジ山が形成されている。第１金具７１と第２金具７２とは互いのネジ山が螺合することで連結されている。第２金具７２は、壁部１３の前側に突出した第１金具７１の円筒部７１１の先端部近傍に締め付けられている。第２金具７２と壁部１３の前面との間には、パッキン７５およびワッシャ７６が設けられている。
【００４１】
第２金具７２と吐水口本体２Ａの後部側とは嵌合可能に構成されている。第２金具７２の外周面には、周方向全体に延びる溝部７２１が形成されている。
この溝部７２１は、吐水口本体２Ａの後部側と第２金具７２とが嵌合した際に、吐水口本体２Ａのネジ孔２８の上側に配置される。吐水口本体２Ａのネジ孔２８にネジ７３が貫通されると、ネジ７３の先端部が溝部７２１に挿入される。このネジ７３によって第２金具７２と吐水口本体２Ａとが前後方向に移動することが拘束され、吐水口本体２Ａが取付部材７に取り付けられた状態となる。
【００４２】
次に、吐水装置１Ａの施工方法について説明する。
吐水装置１Ａは、吐水口本体２Ａに吐水口ケース３Ａ、給水ホース４、センサ５および化粧カバー６Ａを装着してから、壁部１３に固定された取付部材７に取り付けられる。
【００４３】
まず、吐水口本体２Ａに吐水口ケース３Ａ、給水ホース４、センサ５および化粧カバー６Ａを装着する方法について説明する。
吐水口ケース３Ａに給水ホース４を接続し、吐水口ケース３Ａを吐水口本体２Ａの吐水口ケース収容部２１に前側から挿入する。このとき、吐水口ケース３Ａの一対の第３被係止部３４Ａ，３４Ａを互いに近づく方向に弾性変形させて吐水口本体２Ａの一対の第１突出板部２３，２３の間に挿入し、吐水口ケース３Ａの一対の第３被係止部３４Ａ，３４Ａそれぞれを一対の第１突出板部２３，２３の互いに対向する面に沿って後方に移動させる。
そして、吐水口ケース３Ａの一対の第３被係止部３４Ａ，３４Ａの第３爪部３４２Ａ，３４２Ａを第１突出板部２３，２３の後側に突出させ、第１突出板部２３，２３に係止させる。これにより吐水口ケース３Ａが吐水口本体２Ａに固定される。
続いて、センサ５を吐水口本体２Ａのセンサ収容部２２に前側から挿入する。
【００４４】
続いて、化粧カバー６Ａを吐水口本体２Ａの前端部２ａに取り付ける。
化粧カバー６Ａの一対の第１被係止部６２Ａ，６２Ａおよび第２被係止部６３を弾性変形させて吐水口本体２Ａの内部に挿入する。そして、第１被係止部６２Ａ，６２Ａの第１爪部６２２Ａ，６２２Ａを吐水口本体２Ａの第１係止部２５１Ａ，２５１Ａに挿入し、第１被係止部６２Ａ，６２Ａをそれぞれ第１係止部２５１Ａ，２５１Ａに係止させる。また、第２被係止部６３の第２爪部６３２を凹部２９に挿入し、第２被係止部６３を凹部２９に係止させる。これにより化粧カバー６Ａが吐水口本体２Ａに取り付けられる。
このとき、化粧カバー６Ａの吐水用開口部６１１に吐水口ケース３Ａの先端部が挿入され、センサ用開口部６１２にセンサ５の先端部が挿入されるようにする。なお、本実施形態では、吐水口ケース３Ａの先端部およびセンサ５の先端部は、化粧カバー６Ａの前面よりもやや後側に配置されるように設定されている。
このようにして吐水口本体２Ａに吐水口ケース３Ａ、給水ホース４、センサ５および化粧カバー６Ａが装着される。
【００４５】
続いて、吐水口ケース３Ａ、給水ホース４、センサ５および化粧カバー６Ａが装着された吐水口本体２Ａを壁部１３に固定する方法について説明する。
まず、取付部材７を壁部１３に固定する。
取付部材７の第１金具７１の円筒部７１１を壁部１３の後側から貫通孔１３ａに挿入し、フランジ７１２をパッキン７４を介して壁部１３の後面と当接させるとともに、第２金具７２を壁部１３の前側から第１金具７１の円筒部７１１に螺合させる。
【００４６】
続いて、吐水口ケース３Ａ、給水ホース４、センサ５および化粧カバー６Ａが装着された吐水口本体２Ａを取付部材７に固定する。
給水ホース４を第１金具７１および第２金具７２の内部に挿通させて、壁部１３の後側に通し、吐水口本体２Ａの後端部２ｂ側に取付部材７を挿入する。吐水口本体２Ａのネジ孔２８にネジ７３を挿入し、ネジ７３の先端部分を吐水口本体２Ａの内側に突出させ、第２金具の溝部７２１に挿入する。これにより、吐水口ケース３Ａ、給水ホース４、センサ５および化粧カバー６Ａが装着された吐水口本体２Ａが取付部材７に取り付けられる。
【００４７】
次に、メンテナンスなどのために化粧カバー６Ａ、センサ５および吐水口ケース３Ａを吐水口本体２Ａから外す方法について説明する。
まず、ネジ７３をネジ孔２８から外し、吐水口ケース３Ａ、給水ホース４、センサ５および化粧カバー６Ａとともに吐水口本体２Ａを取付部材７から取り外す。このようにすることで、吐水口本体２Ａの後端部２ｂ側の開口が開放される。このとき、給水ホース４は、壁部１３から引き出された状態となる。
【００４８】
続いて、吐水口本体２Ａから化粧カバー６Ａを取り外す。
吐水口本体２Ａの後端部２ｂ側の開口から、マイナスドライバーなどの工具の先端部を一方の溝部２５Ａに沿わせるようにして吐水口本体２Ａに差し込み、工具の先端部を一方の溝部２５Ａの前端部近傍の第１係止部２５１Ａまで移動させる。そして、工具の先端部を化粧カバー６Ａの一方の第１被係止部６２Ａの第１爪部６２２Ａと、一方の第１被係止部６２Ａを係止している吐水口本体２Ａの一方の溝部２５Ａの第１係止部２５１Ａとの間に差し込んで、一方の第１爪部６２２Ａを一方の第１係止部２５１Ａから外す。化粧カバー６Ａの他方の第１被係止部６２Ａについても一方の第１被係止部と同様にして他方の溝部２５Ａの第１係止部２５１Ａから外す。
これにより、化粧カバー６Ａが吐水口本体２Ａから外れる。化粧カバー６Ａを前側から引き出すことで、化粧カバー６Ａが吐水口本体２Ａから離間する。
【００４９】
なお、化粧カバー６Ａの第２被係止部６３は、センサ５の前側に配置されており吐水口本体２Ａの後端部２ｂ後側から工具が届かないため、一対の第１被係止部６２Ａ，６２Ａが吐水口本体２Ａから外れることにより、吐水口本体２Ａの凹部２９から外れるように構成されている。例えば、一対の第１被係止部６２Ａ，６２Ａが吐水口本体２Ａから外れることにより、化粧カバー６Ａが前方かつ下方に移動して、第２被係止部６３が吐水口本体２Ａの凹部２９から外れたり、一対の第１被係止部６２Ａ，６２Ａが吐水口本体２Ａから外れた状態の化粧カバー６Ａを作業者が前方から把持して引き出すことで、第２被係止部６３が吐水口本体２Ａの凹部２９から外れたりするように構成されている。
【００５０】
続いて、吐水口本体２Ａからセンサ５を取り外す。
吐水口本体２Ａの前端部２ａ側からセンサ５を把持し、センサ収容部２２から前側に引き出して取り外す。
続いて、吐水口本体２Ａから吐水口ケース３Ａを取り外す。
吐水口本体２Ａの後端部２ｂ側の開口から、マイナスドライバーなどの工具を吐水口本体２Ａに差し込み、工具の先端部を吐水口ケース３Ａの一方の第３被係止部３４Ａの第３爪部３４２Ａに当てる。そして、一方の第３被係止部３４Ａの第３爪部３４２Ａを、一方の第３被係止部３４Ａを係止している吐水口本体２Ａの一方の第１突出板部２３から外す。吐水口ケース３Ａの他方の第３被係止部３４Ａについても、一方の第３被係止部３４Ａと同様にして他方の第１突出板部２３から外す。
これにより、吐水口ケース３Ａが吐水口本体２Ａから外れる。そして、吐水口ケース３Ａを前側から引き出すことで、吐水口ケース３Ａが吐水口本体２Ａから離間する。
【００５１】
なお、メンテナンスなどの目的に合わせて、化粧カバー６Ａのみを吐水口本体２Ａから取り外したり、化粧カバー６Ａおよびセンサ５のみを吐水口本体２Ａから取り外したりしてもよい。
【００５２】
次に、上述した第１実施形態による吐水装置１Ａの作用・効果について図面を用いて説明する。
上述した本実施形態による吐水装置１Ａでは、吐水口本体２Ａの内部に化粧カバー６Ａの一対の第１被係止部６２Ａ，６２Ａを係止する溝部２５Ａ，２５Ａの第１係止部２５１Ａ，２５１Ａ、および吐水口ケース３Ａの一対の第３被係止部３４Ａ，３４Ａを係止する一対の第１突出板部２３，２３が設けられている。また、本実施形態による吐水装置１Ａでは、吐水口本体２Ａの後端部２ｂ側からの操作によって第１係止部２５１Ａ，２５１Ａに係止された第１被係止部６２Ａ，６２Ａ、および第１突出板部２３，２３に係止された第３被係止部３４Ａ，３４Ａがそれぞれ吐水口本体２Ａから外れるように構成されている。
このため、吐水装置１Ａは、化粧カバー６Ａの第１被係止部６２Ａ，６２Ａ、吐水口ケース３Ａの第３被係止部３４Ａ，３４Ａ、吐水口本体２Ａの第１係止部２５１Ａ，２５１Ａおよび第１突出板部２３，２３が吐水口本体２Ａおよび化粧カバー６Ａの外側に露出しない構造となる。これにより、吐水装置１Ａの意匠性を向上させることができるとともに、第１被係止部６２Ａ，６２Ａ、第３被係止部３４Ａ，３４Ａ、および第１係止部２５１Ａ，２５１Ａに汚れが溜まることが防止されるため、吐水口本体２Ａや化粧カバー６Ａを容易に清掃することができる。
【００５３】
また、吐水口本体２Ａの内面には、後端部２ｂから化粧カバー６Ａの第１被係止部６２Ａ，６２Ａに達する溝部２５Ａ，２５Ａが形成されていることにより、工具の先端部を吐水口本体２Ａの溝部２５Ａ，２５Ａに沿わせることにより、第１被係止部６２Ａ，６２Ａの位置に工具の先端部をガイドすることができる。このため、吐水口本体２Ａの内部が暗く見えにくい場合でも、工具の先端部を第１被係止部６２Ａ，６２Ａの位置に容易に配置することができる。
【００５４】
また、吐水口本体２Ａは、直管状であることにより、吐水口本体２Ａに工具を挿入しやすいとともに、吐水口本体２Ａの内部を視認しやすいため、化粧カバー６Ａを吐水口本体２Ａから容易に取り外すことができる。また、誤って吐水口本体２Ａの内部を工具で傷つけることを抑制できる。
【００５５】
また、吐水口本体２Ａは、壁部１３に固定された取付部材７に着脱可能であることにより、吐水口本体２Ａを壁部１３に容易に着脱することができ、吐水口本体２Ａから化粧カバー６Ａ、センサ５、および吐水口ケース３Ａを外す作業を簡便化することができる。
【００５６】
（第２実施形態）
次に、第２実施形態について、添付図面に基づいて説明するが、上述の第１実施形態と同一又は同様な部材、部分には同一の符号を用いて説明を省略し、第１実施形態と異なる構成について説明する。
図１７および図１８に示すように、第２実施形態による吐水装置１Ｂでは、化粧カバー６Ｂが吐水口本体２Ｂに直接係止されておらず、吐水口本体２Ｂに係止された吐水口ケース３Ｂを介して吐水口本体２Ｂに係止されている。
【００５７】
吐水口ケース３Ｂの第３被係止部３４Ｂ，３４Ｂは、それぞれ吐水口ケース３Ｂのケース本体３２Ｂの後面の高さ方向の中間部における幅方向の両端部近傍から後方に突出する第３突出片３４１Ｂ、第３突出片３４１Ｂの後端部から互いに離間する側に突出する第３爪部３４２Ｂと、を有している。
吐水口ケース３Ｂは、第３被係止部３４Ｂ，３４Ｂの第３爪部３４２Ｂが吐水口本体２Ｂの内面に形成された溝部２５Ｂ，２５Ｂの前端部近傍の第２係止部２５１Ｂ，２５１Ｂに挿入されることで吐水口本体２Ｂに係止されている。
【００５８】
第３被係止部３４Ｂ，３４Ｂは、互いに近づく方向に弾性変形した状態で吐水口本体２Ｂの内部に前端部２ａ側から挿入され、第３被係止部３４Ｂ，３４Ｂの第３爪部３４２Ｂ，３４２Ｂが溝部２５Ｂ，２５Ｂの第２係止部２５１Ｂ，２５１Ｂよりも後側に位置すると、第３爪部３４２Ｂ，３４２Ｂが第２係止部２５１Ｂ，２５１Ｂに挿入され第２係止部２５１Ｂ，２５１Ｂに引っ掛かるように構成されている。第３被係止部３４Ｂ，３４Ｂは、吐水口本体２Ｂの後端部２ｂ側から挿入されたマイナスドライバーなどの工具による操作によって第２係止部２５１Ｂ，２５１Ｂから外れるように構成されている。
【００５９】
吐水口ケース３Ａの第３被係止部３４Ｂ，３４Ｂおよび吐水口本体２Ｂの第２係止部２５１Ｂ，２５１Ｂは、第３被係止部３４Ｂ，３４Ｂの第３爪部３４２Ｂ，３４２Ｂが第２係止部２５１Ｂ，２５１Ｂに入り込むことで第３被係止部３４Ｂ，３４Ｂが吐水口本体２Ｂに係止されるスナップフィットを構成している。
吐水口ケース３Ｂのケース本体３２Ｂの前端部近傍には、化粧カバー６Ｂの第１被係止部６２Ｂ，６２Ｂを係止可能な第３係止部３５，３５が設けられている。第３係止部３５，３５は、ケース本体３２Ｂの前端部近傍の幅方向両側の端部から幅方向の外側に突出する部材で、ケース本体３２Ｂと一体に形成されている。
【００６０】
化粧カバー６Ｂの第１被係止部６２Ｂ，６２Ｂは、カバー本体６１の後面の高さ方向の中間部における幅方向の両端部近傍から後方に突出する第１突出片６２１Ｂと、第１突出片６２１Ｂの後端部から互いに近づく側に突出する第１爪部６２２Ｂと、を有している。第２実施形態の化粧カバー６Ｂには、第１実施形態の化粧カバー６Ａのような第２被係止部６３が設けられていない。
第１被係止部６２Ｂ，６２Ｂは、互いに離間する方向に弾性変形した状態で、これらの第１被係止部６２Ｂ，６２Ｂの間に後側から吐水口ケース３Ｂの前端部近傍の一対の第３係止部３５，３５が形成された部分が挿入され、第１被係止部６２Ｂ，６２Ｂの第１爪部６２２Ｂ，６２２Ｂが第３係止部３５，３５の後方に位置すると、第１爪部６２２Ｂ，６２２Ｂが第３係止部３５，３５に引っ掛かるように構成されている。第１被係止部６２Ｂ，６２Ｂは、吐水口本体２Ｂの後端部２ｂ側から挿入されたマイナスドライバーなどの工具による操作よって第３係止部３５，３５から外れるように構成されている。
第１被係止部６２Ｂ，６２Ｂおよび第３係止部３５，３５は、第１被係止部６２Ｂ，６２Ｂの第１爪部６２２Ｂ，６２２Ｂが第３係止部３５，３５の後側に引っ掛かることで第１被係止部６２Ｂが吐水口ケース３Ｂに係止されるスナップフィットを構成している。
【００６１】
第２実施形態では、取付部材７から取り外した吐水口本体２Ｂの後端部２ｂ側からマイナスドライバーなどの工具を溝部２５Ｂ，２５Ｂに沿って挿入し、工具の先端部で吐水口ケース３Ｂの第３被係止部３４Ｂ，３４Ｂを吐水口本体２Ｂの第２係止部２５１Ｂ，２５１Ｂから外すことで、吐水口ケース３Ｂが化粧カバー６Ｂおよびセンサ５とともに吐水口本体２Ｂから取り外される。
そして、吐水口ケース３Ｂから化粧カバー６Ｂを取り外すとセンサ５も取り外すことができる。
なお、第２実施形態では、吐水口本体２Ｂに係止された状態の吐水口ケース３Ｂに係止されている化粧カバー６Ｂの第１被係止部６２Ｂ，６２Ｂを、吐水口本体２Ｂの後端部２ｂ側から挿入した工具の先端部で吐水口ケース３Ｂの第３係止部３５，３５から外して、化粧カバー６Ｂのみを吐水口本体２Ｂから取り外すようにしてもよい。また、このように化粧カバー６Ａを吐水口本体２Ｂから取り外してから、吐水口本体２Ｂからセンサ５を引き出してもよい。
【００６２】
第２実施形態による吐水装置１Ｂでは、第１実施形態と同様の効果を奏するとともに、化粧カバー６Ｂが吐水口ケース３Ａを介して吐水口本体２Ｂに取り付けられることにより、吐水口ケース３Ｂと化粧カバー６Ｂとの位置ずれを抑制することができる。
【００６３】
以上、本発明による吐水装置の実施形態について説明したが、本発明は上記の実施形態に限定されるものではなく、その趣旨を逸脱しない範囲で適宜変更可能である。
例えば、上記の実施形態では、吐水口本体２Ａ，２Ｂは、直管状の円筒形状に形成されているが、直管状とせずに曲管状に形成されていてもよいし、円筒形状とせずに角筒形状に形成されていてもよい。また、上記の実施形態では、吐水口本体２Ａ，２Ｂは、軸線方向の先端部から吐水するように形成されているが、側面の下部側から吐水するように形成されていてもよい。また、吐水口本体２Ａ，２Ｂは、筒状に形成されていなくてもよい。
【００６４】
また、上記の実施形態では、吐水口本体２Ａは、壁部１３に固定された取付部材７に着脱可能に構成されているが、壁部１３に直接着脱できるように構成されていてもよい。また、取付部材７が壁部１３に固定される形態や、取付部材７に吐水口本体２Ａ，２Ｂが固定される形態は適宜設定されてよい。
また、上記の実施形態では、吐水口ケース３Ａ，３Ｂと化粧カバー６Ａ，６Ｂとは、別体に設けられているが、一体に設けられていて、センサ５を装着可能に構成されていてもよい。
【００６５】
また、上記の実施形態では、吐水口ケース３Ａ，３Ｂおよび化粧カバー６Ａ，６Ｂの両方が、吐水口本体２Ａ，２Ｂの後端部２ｂ側からの操作によって吐水口本体２Ａ，２Ｂから外れるように構成されているが、吐水口ケース３Ａ，３Ｂおよび化粧カバー６Ａ，６Ｂのいずれか一方のみが吐水口本体２Ａ，２Ｂの後端部２ｂ側からの操作によって吐水口本体２Ａ，２Ｂから外れるように構成されていてもよい。
また、吐水口ケース３Ａ，３Ｂおよび化粧カバー６Ａ，６Ｂ以外の吐水口本体２Ａ，２Ｂに収容される部材が、本実施形態の吐水口ケース３Ａ，３Ｂおよび化粧カバー６Ａ，６Ｂのように吐水口本体２Ａ，２Ｂの後端部２ｂ側からの操作によって吐水口本体２Ａ，２Ｂから外れるように構成されていてもよい。
【００６６】
また、上記の実施形態では、マイナスドライバーなどの工具を用いて吐水口本体２Ａ，２Ｂによる吐水口ケース３Ａ，３Ｂおよび化粧カバー６Ａ，６Ｂの係止を解除しているが、工具を使用せずに、使用者が吐水口本体２Ａ，２Ｂの内部に後端部２ｂ側から直接指を挿入して、吐水口ケース３Ａ，３Ｂおよび化粧カバー６Ａ，６Ｂの吐水口本体２Ａ，２Ｂへの係止を解除するように構成されていてもよい。
【符号の説明】
【００６７】
１Ａ，１Ｂ  吐水装置
２Ａ，２Ｂ  吐水口本体
２ａ  前端部（先端部）
２ｂ  後端部（基端部）
３Ａ，３Ｂ  吐水口ケース（吐水口部材）
４  給水ホース
５  センサ
６Ａ，６Ｂ  化粧カバー（吐水口部材）
７  取付部材
８  吐水口部
１３  壁部（取り付け対象物）
２３  第１突出板部（係止部）
２５Ａ，２５Ｂ  溝部
３４Ａ，３４Ｂ  第３被係止部（被係止部）
３５  第３係止部（係止部）
６２Ａ，６２Ｂ  第１被係止部（被係止部）
６３  第２被係止部（被係止部）
２５１Ａ  第１係止部（係止部）
２５１Ｂ  第２係止部（係止部）  
【図１】
0006533143.tif 000002
【図２】
0006533143.tif 000003
【図３】
0006533143.tif 000004
【図４】
0006533143.tif 000005
【図５】
0006533143.tif 000006
【図６】
0006533143.tif 000007
【図７】
0006533143.tif 000008
【図８】
0006533143.tif 000009
【図９】
0006533143.tif 000010
【図１０】
0006533143.tif 000011
【図１１】
0006533143.tif 000012
【図１２】
0006533143.tif 000013
【図１３】
0006533143.tif 000014
【図１４】
0006533143.tif 000015
【図１５】
0006533143.tif 000016
【図１６】
0006533143.tif 000017
【図１７】
0006533143.tif 000018
【図１８】
0006533143.tif 000019